(57)【特許請求の範囲】
【請求項１】
四隅に配置された柱と、隣接する該柱の下部間に掛け渡されて両端を各々前記柱に剛接合された床梁と、前記柱の上部に天井パネル組立体とを有する建物ユニットにおいて、
前記柱と前記天井パネル組立体とは、該両者を固定接続するための柱側固定金具と天井パネル側固定金具により固定され、前記柱側固定金具又は前記天井パネル側固定金具の一方にはねじ受入孔付きの筒状突部が形成され、他方には前記筒状突部を受け入れる貫通孔が形成され、該貫通孔に挿入したねじが、該貫通孔に嵌合する前記筒状突部のねじ受入孔に挿入されて前記天井パネル組立体と前記柱との接合を行うことを特徴とする建物ユニット。
【請求項２】
前記筒状突部は半割り形状とされ、初期状態では当該筒状突部の外径が前記貫通孔の内径より小さく、前記ねじ受入孔に前記ねじが挿入されることにより前記筒状突部が拡開することを特徴とする請求項１に記載の建物ユニット。
【請求項３】
前記筒状突部のねじ受入孔には、前記筒状突部と前記貫通孔との嵌合の案内を行う案内部材が取り外し可能に装着されていることを特徴とする請求項１又は２に記載の建物ユニット。
【請求項４】
四隅に配置された柱と、隣接する該柱の下部間に掛け渡されて両端を各々前記柱に剛接合された床梁と、前記柱の上部に天井パネル組立体とを有する建物ユニットが、それぞれ上下左右に連結して構成されるユニット建物において、
前記天井パネル組立体は、横転溝形鋼製の端野縁が方形に形成された天井フレームと、前記端野縁の下面に取り付けられた天井パネルとを有し、連結された前記上階の建物ユニットの前記床梁には、取付け高さ位置調整可能に天井吊り金具が取り付けられ、該天井吊り金具には、前記横転溝形鋼製の端野縁の片部を受け入れる水平方向のスリット溝が形成されていることを特徴とするユニット建物。
【請求項５】
前記天井吊り金具は、連結された前記上階の建物ユニットの前記床梁に取り付けられ、該床梁は、前記天井吊り金具にねじ止めされた高さ調整ねじと当接し、該高さ調整ねじにより前記床梁に対する取付け高さを調整可能に設定されていることを特徴とする請求項４に記載のユニット建物。
【発明の詳細な説明】
【０００１】
【発明の属する技術分野】
この発明は、建物ユニットに関し、特にユニット建物として使用される骨組構造の建物ユニットに関するものである。
【０００２】
【従来の技術】
工場で生産されるユニット建物用の建物ユニットとして、四隅に配置された柱と、隣接する柱の下部間に掛け渡されて両端を各々柱に剛接合された床梁とにより骨組構造をなし、上部に天井パネルを配置される建物ユニットが知られている。
【０００３】
従来の建物ユニットは、柱の上面よりも天井パネルの上面の位置が低く、出荷時において、建物ユニットに直接保護シートを掛けると、窪みができ、該窪みに雨水が溜まってしまう。そこで、建物ユニットの天井パネル上には仮屋根梁（野縁）を渡し、その上に仮屋根合板を設置して保護シートを掛けた状態で出荷し、保護シート上に雨水が溜まらないようにしている。
【０００４】
また、従来の建物ユニットには、天井パネルの四隅を柱の上部（柱頭）に固定した型式のものがあり、この天井パネルの柱頭固定は、天井パネルと柱頭の各々に取り付けられた孔付きの取付け金具の孔を合わせて、リベットを打ち込むことにより行われている（特開平１０−２０１８号公報参照）。
さらに、従来の建物ユニットは、天井高さの調整を行える構造になっておらず、ユニット繋ぎ部には、天井面の高さ調整をせずにそのまま石膏ボードを貼ることが行われている。
【０００５】
【発明が解決しようとする課題】
ところで、従来の建物ユニットでは、上記のように出荷時には保護シート上に雨水が溜まらないように、天井パネル上に仮屋根梁を渡し、その上に仮屋根合板を設置している。一方、据付け時には、仮屋根梁及び仮屋根合板は回収品として既に取り外されているため、施工休止時のような保護シートのみが掛けられた状態では、保護シートに窪みができ、雨水が溜まる。このため、雨天後の作業時には、保護シートの窪みに溜まった雨水をホース等を使用して排水しなければならないという不都合がある。
【０００６】
また、従来の建物ユニットにおける天井パネルの柱頭固定は、上記のように、天井パネルと柱頭の各々に取り付けられた孔付きの取付け金具の孔を合わせてリベットを打ち込むことにより行われているため、取付け金具の孔合わせする作業が大変で、リベットを打ち込むまで天井パネルの支持が安定せず、作業性が悪いという問題がある。
【０００７】
さらに、従来の建物ユニットでは、天井高さの調整を行える構造になっておらず、ユニット繋ぎ部に、そのまま石膏ボードを貼ることが行われているため、天井面に段差が生じる可能があり、また、鉄骨製の天井梁と上階の床梁とが金属同士で接しているため、上階床を歩く時にはカタカタと云うような金属接触音が生じるという不都合がある。
【０００８】
この発明は、上述の如き問題点を解消するためになされたもので、仮屋根梁、仮屋根合板が不要で、据付け時に保護シートの窪みに雨水が溜まることがなく、また天井パネルの柱頭固定の作業性に優れ、しかも天井高さの微調整を作業性よく行うことができる建物ユニット、及び該建物ユニットを連結したユニット建物を提供することを目的としている。
【０００９】
【課題を解決するための手段】
上述の目的を達成するために、請求項１に記載の発明による建物ユニットは、四隅に配置された柱と、隣接する柱の下部間に掛け渡されて両端を各々柱に剛接合された床梁と、天井パネル組立体とを有する建物ユニットにおいて、前記柱と前記天井パネル組立体とに該両者を固定接続するための柱側固定金具と天井パネル側固定金具とが固定され、前記柱側固定金具と前記天井パネル側固定金具の一方にはねじ受入孔付きの筒状突部が形成され、他方には前記筒状突部を受け入れる貫通孔が形成され、前記貫通孔より挿入したねじが当該貫通孔に嵌合している前記筒状突部のねじ受入孔にねじ込まれることにより天井パネル組立体と柱との接合が行われるものである。
【００１２】
この構成によれば、柱側固定金具あるいは天井パネル側固定金具の一方に設けられている筒状突部が他方の固定金具の貫通孔に挿入されることで、柱頭に対する天井パネル組立体の仮止めが行われ、その後、貫通孔より挿入したねじが当該貫通孔に嵌合している前記筒状突部のねじ受入孔にねじ込まれることにより、柱頭に対する天井パネル組立体の本固定が行われる。
【００１３】
請求項２に記載の発明による建物ユニットは、前記筒状突部は半割り形状とされ、初期状態では当該筒状突部の外径が前記貫通孔の内径より小さく、前記ねじ受入孔にねじがねじ込まれることにより前記筒状突部が拡開されるものである。この構成によれば、ねじ受入孔にねじがねじ込まれることにより筒状突部が拡開し、ねじ受入孔と筒状突部との間のクリアランスが無くなり、同時にねじ受入孔と筒状突部との心出しを行うことができる。
【００１４】
請求項３に記載の発明による建物ユニットは、前記筒状突部のねじ受入孔に、前記筒状突部と前記貫通孔との嵌合の案内を行う案内部材が取り外し可能に装着されるものである。この構成によれば、筒状突部のねじ受入孔に案内部材が装着されることで、案内部材に案内されながら、筒状突部と貫通孔との嵌合を容易に行うことができる。
【００１５】
請求項４に記載の発明によるユニット建物は、四隅に配置された柱と、隣接する柱の下部間に掛け渡されて両端を各々柱に剛接合された床梁と、前記天井パネル組立体とを有する建物ユニットが、それぞれ上下左右に連結して構成されるユニット建物において、前記天井パネル組立体は、横転溝形鋼製の端野縁が方形に形成された天井フレームと前記端野縁の下面に取り付けられた天井パネルとを有し、連結された前記上階の建物ユニットの前記床梁に取付け高さ位置調整可能に天井吊り金具が取り付けられ、前記天井吊り金具は横転溝形鋼製の端野縁の片部を受け入れる水平方向のスリット溝が形成されているものである。
【００１６】
この構成によれば、天井吊り金具のスリット溝に横転溝形鋼製の端野縁の片部が差し込まれることによって天井吊り金具を介して天井パネル組立体が上階の床梁より吊り下げ式に支持されるので、天井吊り金具の床梁に対する取付け高さ位置の調整により、天井パネルの高さ調整を行うことができる。
【００１７】
請求項５に記載の発明によるユニット建物は、前記天井吊り金具は、連結された前記上階の建物ユニットの前記床梁に取り付けられ、当該天井吊り金具にねじ止めされた高さ調整ねじが前記床梁に当接し、当該高さ調整ねじにより前記床梁に対する取付け高さを調整可能に設定されるものである。この構成によれば、高さ調整ねじにより天井吊り金具の床梁に対する取付け高さを調整でき、天井面の段差をなくすことができる。
【００１８】
【発明の実施の形態】
以下に添付の図を参照してこの発明の実施の形態を詳細に説明する。
図１、図２はこの発明による建物ユニットの骨組構造を示している。建物ユニットは、四隅に配置された円形断面の鋼管製の４個の柱１と、隣接する柱１の下部間に掛け渡されて両端を各々柱１に剛接合された鋼鉄製の４個の床梁２とによる骨組構造をなし、床梁２には根太３が掛け渡され、根太３上に床パネル４が設置されている。そして、上部には天井パネル組立体５が設けられている。
【００１９】
また、図３は、前記建物ユニットにおける天井パネル組立体５の柱頭固定部の要部を示しており、該天井パネル組立体５は、溝形鋼を外向きに横転した状態で配置された四角枠状の天井フレームである端野縁６と、該端野縁６の下面側に固定された石膏ボード等による天井パネル７と、端野縁６の上面側に固定されたＯＳＢ等による足場板８とにより構成されている。そして、端野縁６は柱１の周辺に位置し、また、柱１の上端には蓋部材１ａが固定されており、足場板８の上面８ａは柱１の最上端１ｂとほぼ同じ高さ位置にある。
【００２０】
この構成により、仮屋根梁や仮屋根合板が不要になるとともに、建物ユニットの上面全体がフラットになり、据付け時にシート掛けが行われても、雨水が溜まるような窪みは生じない。また、上記した従来の建物ユニットにおける仮屋根梁及び仮屋根合板は仮固定であるため、据付け作業時に仮屋根合板が、ずれたり、段差が生じる虞れがあったが、本実施形態の足場板８は天井パネル組立体５として端野縁６にしっかりと固定されているので、足場板８が、ずれたり、段差が生じることがなく、据付け作業の安全性が向上する。
【００２１】
次に、図３〜図６を参照して天井パネル組立体５の柱頭固定構造について説明する。
柱１の上端近傍には柱側固定金具１０が、天井パネル組立体５の角部近傍には天井パネル側固定金具２０が各々固定されている。
柱側固定金具１０は、取付け片部１１と筒状突部１４等からなり、該筒状突部１４は、前記取付け片部１１の上部に備えられている。該取付け片部１１は、ブラインドボルト１２によって中空円筒状の柱１の外側面にねじ止めされ、また、筒状突部１４は、半割り形状のねじ受入孔１３を有するとともに、面取りにより尖った形状の上端部１４ａを有している（図４,５参照）。
【００２２】
天井パネル側固定金具２０は、取付け片部２１と貫通孔２２とからなり、該取付け片部２１がねじ（図示省略）によって天井パネル組立体５の角部近傍にねじ止めされる。また、貫通孔２２は、前記筒状突部１４を受け入れる孔であり、該筒状突部１４の外径は、初期状態では貫通孔２２の内径より小さくなっている（図４,５参照）。
【００２３】
天井パネル組立体５の柱頭固定作業は、図４〜図６に示すように、まず、天井パネル組立体５に固定されている天井パネル側固定金具２０を柱側固定金具１０の上方より近付け、貫通孔２２に筒状突部１４を差し込んで貫通孔２２と筒状突部１４とを嵌合させる。なお、この嵌合作業は筒状突部１４の上端部１４ａが尖った形状になっているから、容易に行われる。
【００２４】
また、この嵌合作業が、より容易に行われるべく、図７に示されている筒状突部１４のねじ受入孔１３に案内部材としてピアノ線３０を差し込み、その後、貫通孔２２にピアノ線３０を通して案内させて、筒状突部１４と貫通孔２２との嵌合を行うこともできる。
【００２５】
そして、貫通孔２２と筒状突部１４との嵌合により、柱頭に対する天井パネル組立体５の仮止めが行われる。
仮止め完了後には、タッピンねじ３１が貫通孔２２から、該貫通孔２２に嵌合している筒状突部１４のねじ受入孔１３に挿入・ねじ込まれ、柱頭に対する天井パネル５の本固定を行う。
【００２６】
このように、ねじ受入孔１３にタッピンねじ３１がねじ込まれることにより、筒状突部１４が拡開し、ねじ受入孔１３と筒状突部１４との間のクリアランスが無くなってかしめられ、同時にねじ受入孔１３と筒状突部１４との心出しを行うことができる（図５（ｂ）参照）。
次に、天井パネル組立体５等による天井吊り構造について図８〜図１０を参照して説明する。
【００２７】
図８に示すように、該天井吊り構造は、天井パネル組立体５と、天井吊り金具４０等からなり、該天井吊り金具４０が、上階の建物ユニットの床梁２の略中間部の下端に取り付けられている。該天井吊り金具４０は、溝形鋼状をなし、天井パネル組立体５の端野縁６の片部６ａを受け入れるスリット溝４２が水平方向に形成され、該スリット溝４２の溝幅は、端野縁６の片部６ａの板厚より少し大きく設定されている（図９参照）。
また、天井吊り金具４０には高さ調整ねじ４３がねじ止めされており、該高さ調整ねじ４３は先端にて床梁２に当接し、高さ調整ねじ４３のねじ込み量により床梁２に対する取付け高さを調整可能に設定される。
【００２８】
前記天井吊り金具４０による天井パネル組立体５の支持は、図１０（ａ）に示されているように、端野縁６の片部６ａに天井吊り金具４０のスリット溝４２を差し込み、この後に、ボルト４１によって天井吊り金具４０を上階の建物ユニットの床梁２に固定して行われる。そして、前記高さ調整ねじ４３のねじ込みにより、天井吊り金具４０が上階の建物ユニットの床梁２側に持ち上がり、この持ち上がりによって、図１０（ｂ）に示されているように、端野縁６の片部６ａが撓むとともに、天井吊り金具４０と端野縁６の片部６ａとがしっかりと噛み合って固定される。これにより、振動しても、金属同士の衝突による衝突音が発生しないようになる。
【００２９】
そして、前記高さ調整ねじ４３のねじ込み量により、天井吊り金具４０の床梁２に対する取付け高さが調整されるので、この高さが調整により、天井吊り金具４０と接続されている天井パネル組立体５の高さ位置の微調整ができ、隣接する建物ユニット同士の天井パネル７の段差を無くし、隣接する建物ユニットに亙って天井面を面一にすることができる。
【００３０】
上述のような構成によるユニット建物では、図１１（ａ）に示されているように、工場出荷段階では、内壁仕切５０を有しない桁面側に仮支柱５１を設置し、図１１（ｂ）に示されているように、作業員の荷重を支えられるようにする。そして、上述のように、上階の床梁２に前記天井吊り金具４０を使用して、天井パネル組立体５の吊り固定が完了した後、下階の建物ユニットの仮支柱５１を取り外している。
【００３１】
【発明の効果】
以上の説明から理解される如く、この発明による請求項１に記載の発明による建物ユニットによれば、四隅に配置された柱と、隣接する柱の下部間に掛け渡されて両端を各々柱に剛接合された床梁と、天井パネル組立体とを有する建物ユニットにおいて、前柱と天井パネル組立体とに該両者を固定接続するための柱側固定金具と天井パネル側固定金具とが固定され、柱側固定金具と天井パネル側固定金具の一方にはねじ受入孔付きの筒状突部が形成され、他方には筒状突部を受け入れる貫通孔が形成され、貫通孔より挿入したねじが当該貫通孔に嵌合している前記筒状突部のねじ受入孔にねじ込まれることにより天井パネル組立体と柱との接合が行われる構成としたので、柱側固定金具あるいは天井パネル側固定金具の一方に設けられている筒状突部が他方の固定金具の貫通孔に挿入されることで、柱頭に対する天井パネル組立体の仮止めが行われ、貫通孔より挿入したねじが当該貫通孔に嵌合している前記筒状突部のねじ受入孔にねじ込まれることにより、柱頭に対する天井パネル組立体の本固定が行われ、柱頭に対する天井パネル組立体の固定を作業性よく行うことができる。
【００３４】
請求項２に記載の発明による建物ユニットによれば、筒状突部は半割り形状とされ、初期状態では当該筒状突部の外径が前記貫通孔の内径より小さく、ねじ受入孔に、ねじがねじ込まれることにより筒状突部が拡開される構成としたので、ねじ受入孔と筒状突部との間のクリアランスが無くなってかしめられ、同時にねじ受入孔と筒状突部との心出しが的確に行われる。
【００３５】
請求項３に記載の発明による建物ユニットによれば、筒状突部のねじ受入孔に、筒状突部と貫通孔との嵌合の案内を行う案内部材が取り外し可能に装着される構成としたので、筒状突部のねじ受入孔に案内部材が装着されることで、案内部材に案内されながら、筒状突部と貫通孔との嵌合を容易に行うことができ、柱頭に対する天井パネル組立体の固定作業の作業性のより一層の向上を図ることができる。
【００３６】
請求項４に記載の発明によるユニット建物によれば、四隅に配置された柱と、隣接する柱の下部間に掛け渡されて両端を各々柱に剛接合された床梁と、天井パネル組立体とを有する建物ユニットが、上下左右に連結して構成されるユニット建物において、天井パネル組立体は、横転溝形鋼製の端野縁が方形に形成された天井パネルと前記端野縁の下面に取り付けられた天井パネルとを有し、連結された前記上階の建物ユニットの床梁には、取付け高さ位置調整可能に天井吊り金具が取り付けられ、天井吊り金具は横転溝形鋼製の端野縁の片部を受け入れる水平方向のスリット溝が形成されている構成としたので、天井吊り金具のスリット溝に横転溝形鋼製の端野縁の片部が差し込まれることによって天井吊り金具を介して天井パネル組立体が上階の床梁より吊り下げ式に支持され、天井吊り金具の床梁に対する取付け高さ位置の調整により、天井パネルの高さ調整が行われ、隣接する建物ユニット同士の天井パネルの段差を無くして隣接する建物ユニットに亙って天井面を面一にすることができる。
【００３７】
請求項５に記載の発明によるユニット建物は、天井吊り金具は、連結された前記上階の建物ユニットの床梁に取り付けられ、当該天井吊り金具にねじ止めされた高さ調整ねじが床梁に当接し、当該高さ調整ねじにより床梁に対する取付け高さを調整可能に設定される構成としたので、高さ調整ねじにより天井吊り金具の床梁に対する取付け高さが調整され、この取付け高さ調整が作業性を良好に、かつ容易に行われるようになる。
【図面の簡単な説明】
【図１】この発明による建物ユニットの一実施形態の骨組構造を示す斜視図である。
【図２】図１の建物ユニットの骨組構造を示す立面図である。
【図３】図１の建物ユニットにおける天井パネル組立体の柱頭固定部を示す要部の立面図である。
【図４】（ａ）、（ｂ）は図１の建物ユニットにおける天井パネル組立体の柱頭固定部を示す立面図である。
【図５】（ａ）、（ｂ）は図１の建物ユニットにおける天井パネル組立体の柱頭固定部を示す平面図である。
【図６】図１の建物ユニットにおける天井パネル組立体の柱頭固定部を示す斜視図である。
【図７】図１の建物ユニットにおける天井パネル組立体の柱頭固定部の他の実施例を示す斜視図である。
【図８】（ａ）、（ｂ）は図１の建物ユニットにおける天井パネル組立体の吊り構造部を示す立面図である。
【図９】図１の建物ユニットにおける天井パネル組立体の吊り構造部を示す斜視図である。
【図１０】（ａ）、（ｂ）は図１の建物ユニットにおける天井パネル組立体の吊り構造部の要部を示す立面図である。
【図１１】（ａ）、（ｂ）は図１の建物ユニットの施工手順を示す斜視図である。
【符号の説明】
１  柱
２  床梁
３  根太
４  床パネル
５  天井パネル組立体
６  端野縁（天井フレーム）
７  天井パネル
８  足場板
１０  柱側固定金具
１３  ねじ受入孔
１４  筒状突部
２０  天井パネル側固定金具
２２  貫通孔
３０  ピアノ線
３１  タッピンねじ
４０  天井吊り金具
４１  ボルト
４２  スリット溝
５１  仮支柱
【図１】
0004087985.tif 000002
【図２】
0004087985.tif 000003
【図３】
0004087985.tif 000004
【図４】
0004087985.tif 000005
【図５】
0004087985.tif 000006
【図６】
0004087985.tif 000007
【図７】
0004087985.tif 000008
【図８】
0004087985.tif 000009
【図９】
0004087985.tif 000010
【図１０】
0004087985.tif 000011
【図１１】
0004087985.tif 000012